(57)【要約】【課題】水平レベルを確保した状態で筐体を支持することが可能な筐体支持構造を提供する。【解決手段】筐体支持構造は、筐体と、第１支持部材と、第１取り付け部材と、第１接続部と、第２取り付け部材と、第１伸縮部材及び第２伸縮部材とを備えている。筐体は、上壁と、底壁と、側壁とを有している。第１支持部材は、上壁に取り付けられる。第１取り付け部材は、支柱に取り付けられる。第２取り付け部材は、第１取り付け部材の上方において支柱に取り付けられる。第１伸縮部材は、第１端と第２端との距離が調整可能に構成されている。第２伸縮部材は、第３端と第４端との距離が調整可能に構成されている。側壁には、開口部が形成されているとともに、開口部を覆う扉が取り付けられている。第１接続部は、第１支持部材と第１取り付け部材との距離を調整可能である。第４端は、第１支持部材の中央と支柱の中央とを結んだ直線に関して第２端とは反対側に位置している。【選択図】図１
2020072108.tif 000002
【特許請求の範囲】
【請求項１】
上壁と、底壁と、前記上壁及び前記底壁に連なる側壁とを有する筐体と、
前記上壁に取り付けられる第１支持部材と、
地面から上方に向かって延在する支柱に取り付けられる第１取り付け部材と、
前記第１支持部材と前記第１取り付け部材とを接続する第１接続部と、
前記第１取り付け部材の上方において前記支柱に取り付けられる第２取り付け部材と、
前記第２取り付け部材に取り付けられる第１端と、前記第１支持部材に取り付けられる第２端とを有し、前記第１端と前記第２端との距離が調整可能に構成された第１伸縮部材と、
前記第２取り付け部材に取り付けられる第３端と、前記第１支持部材に取り付けられる第４端とを有し、前記第３端と前記第４端との距離が調整可能に構成された第２伸縮部材とを備え、
前記側壁には、前記筐体の内部に連通する開口部が形成されているとともに、前記開口部を覆う扉が取り付けられており、
前記第１接続部は、前記第１支持部材と前記第１取り付け部材との距離を調整可能に構成されており、
前記第４端は、上面視において、前記第１支持部材の中央と前記支柱の中央とを結んだ直線に関して前記第２端とは反対側に位置している、筐体支持構造。
【請求項２】
前記第１伸縮部材及び前記第２伸縮部材は、ターンバックルである、請求項１に記載の筐体支持構造。
【請求項３】
前記第１接続部は、第１ボルトと、前記第１ボルトに螺合される第１ナット、第２ナット及び第３ナットとにより構成されており、
前記第１ボルトの頭部及び前記第１ナットは、前記第１取り付け部材及び前記第１支持部材の一方を挟み込んでおり、
前記第２ナット及び前記第３ナットは、前記第１取り付け部材及び前記第１支持部材の他方を挟み込んでいる、請求項１又は請求項２に記載の筐体支持構造。
【請求項４】
第２支持部材と、
前記第１取り付け部材の下方において前記支柱に取り付けられる第３取り付け部材と、
前記第２支持部材と前記第３取り付け部材とを接続する第２接続部とをさらに備え、
前記第２支持部材は、前記底壁に取り付けられており、
前記第２接続部は、前記第２支持部材と前記第３取り付け部材との距離を調整可能に構成されている、請求項１〜請求項３のいずれか１項に記載の筐体支持構造。
【請求項５】
前記第２接続部は、第２ボルトと、前記第２ボルトに螺合される第４ナット、第５ナット及び第６ナットとにより構成されており、
前記第２ボルトの頭部及び前記第４ナットは、前記第３取り付け部材及び前記第２支持部材の一方を挟み込んでおり、
前記第５ナット及び前記第６ナットは、前記第３取り付け部材及び前記第２支持部材の他方を挟み込んでいる、請求項４に記載の筐体支持構造。
【請求項６】
前記第２支持部材は、前記底壁に取り付けられる第１部分と、前記第１部分の前記支柱側の端から下方に向かって延在する第２部分とを有しており、
前記第２部分は、前記第２ボルトが挿通される貫通穴が形成されており、
前記貫通穴は、上下方向に沿って形成されている、請求項５に記載の筐体支持構造。
【請求項７】
前記第１支持部材は、底板と、前記底板の縁から上方に向かって延在する側板とを有しており、
前記側板には、前記側板を厚さ方向に貫通する排水口が形成されている、請求項１〜請求項６のいずれか１項に記載の筐体支持構造。
【請求項８】
第３ボルトと、
第７ナットとをさらに備え、
前記第７ナットは、前記上壁の前記底壁側の面に固定されており、
前記第７ナットは、前記第３ボルトに螺合されることにより、前記第３ボルトの頭部との間で前記上壁及び前記第１支持部材を締結する、請求項１〜請求項７のいずれか１項に記載の筐体支持構造。
【請求項９】
第３ボルトと、
第７ナットとをさらに備え、
前記第７ナットは、前記第１支持部材の前記上壁とは反対側の面に固定されており、
前記第７ナットは、前記第３ボルトに螺合されることにより、前記第３ボルトの頭部との間で前記上壁及び前記第１支持部材を締結する、請求項１〜請求項７のいずれか１項に記載の筐体支持構造。
【請求項１０】
上壁と、底壁と、前記上壁及び前記底壁に連なる側壁とを有する筐体と、
前記上壁に取り付けられる第１支持部材と、
地面から上方に向かって延在する支柱に取り付けられる第１取り付け部材と、
前記第１支持部材と前記第１取り付け部材とを接続する第１接続部と、
前記第１取り付け部材の上方において前記支柱に取り付けられる第２取り付け部材と、
前記第２取り付け部材に取り付けられる第１端と、前記第１支持部材に取り付けられる第２端とを有する第１部材と、
前記第２取り付け部材に取り付けられる第３端と、前記第１支持部材に取り付けられる第４端とを有する第２部材とを備え、
前記側壁には、前記筐体の内部に連通する開口部が形成されているとともに、前記開口部を覆う扉が取り付けられており、
前記第１接続部は、前記第１支持部材と前記第１取り付け部材との距離を調整可能に構成されており、
前記第４端は、上面視において、前記第１支持部材の中央と前記支柱の中央とを結んだ直線に関して前記第２端とは反対側に位置しており、
前記第１端と前記第２端との間の距離及び前記第３端と前記第４端との間の距離の少なくとも一方は、調整可能に構成されている、筐体支持構造。
【発明の詳細な説明】
【技術分野】
【０００１】
本発明は、筐体支持構造に関する。
【背景技術】
【０００２】
特許第６２２９０３３号公報（特許文献１）には、支持構造が記載されている。特許文献１に記載の支持構造は、腕金を有している。腕金は、バンド部材を用いて、電柱に取り付けられている。特許文献１に記載の支持構造においては、変圧器を腕金にぶら下げることにより、変圧器が支持されている。
【先行技術文献】
【特許文献】
【０００３】
【特許文献１】特許第６２２９０３３号公報
【発明の概要】
【発明が解決しようとする課題】
【０００４】
変圧器のように筐体に扉が設けられていない装置に関しては、支持された状態における筐体の水平レベルが厳しく要求されることはない。他方で、筐体に扉が設けられている装置に関しては、支持された状態における筐体の水平レベルが厳しく要求される。これは、筐体に扉が設けられている装置に関しては、筐体が水平に保たれていないと、扉の開閉に支障をきたすからである。しかしながら、特許文献１に記載の支持構造においては、筐体の水平レベルを確保することは困難である。
【０００５】
本発明は、上記のような従来技術の問題点に鑑みてなされたものである。より具体的には、本発明は、水平レベルを確保した状態で筐体を支持することが可能な筐体支持構造を提供する。
【課題を解決するための手段】
【０００６】
一実施形態に係る筐体支持構造は、筐体と、第１支持部材と、第１取り付け部材と、第１接続部と、第２取り付け部材と、第１伸縮部材及び第２伸縮部材とを備えている。筐体は、上壁と、底壁と、上壁及び底壁に連なる側壁とを有している。第１支持部材は、上壁に取り付けられる。第１取り付け部材は、地面から上方に向かって延在する支柱に取り付けられる。第１接続部は、第１支持部材と第１取り付け部材とを接続する。第２取り付け部材は、第１取り付け部材の上方において支柱に取り付けられる。
【０００７】
第１伸縮部材は、第２取り付け部材に取り付けられる第１端と、第１支持部材に取り付けられる第２端とを有し、第１端と第２端との距離が調整可能に構成されている。第２伸縮部材は、第２取り付け部材に取り付けられる第３端と、第１支持部材に取り付けられる第４端とを有し、第３端と第４端との距離が調整可能に構成されている。側壁には、筐体の内部に連通する開口部が形成されているとともに、開口部を覆う扉が取り付けられている。第１接続部は、第１支持部材と第１取り付け部材との距離を調整可能に構成されている。第４端は、上面視において、第１支持部材の中央と支柱の中央とを結んだ直線に関して第２端とは反対側に位置している。
【０００８】
上記の筐体支持構造において、第１伸縮部材及び第２伸縮部材は、ターンバックルであってもよい。
【０００９】
上記の筐体支持構造において、第１接続部は、第１ボルトと、第１ボルトに螺合される第１ナット、第２ナット及び第３ナットとにより構成されていてもよい。第１ボルトの頭部及び第１ナットは、第１取り付け部材及び第１支持部材の一方を、挟み込んでいてもよい。第２ナット及び第３ナットは、第１取り付け部材及び第１支持部材の他方を、挟み込んでいてもよい。
【００１０】
上記の筐体支持構造は、第２支持部材と、第１取り付け部材の下方において支柱に取り付けられる第３取り付け部材と、第２支持部材と第３取り付け部材とを接続する第２接続部とをさらに備えていてもよい。第２支持部材は、底壁に取り付けられていてもよい。第２接続部は、第２支持部材と第３取り付け部材との距離を調整可能に構成されていてもよい。
【００１１】
上記の筐体支持構造において、第２接続部は、第２ボルトと、第２ボルトに螺合される第４ナット、第５ナット及び第６ナットとにより構成されていてもよい。第２ボルトの頭部及び第４ナットは、第３取り付け部材及び第２支持部材の一方を、挟み込んでいてもよい。第５ナット及び第６ナットは、第３取り付け部材及び第２支持部材の他方を、挟み込んでいてもよい。
【００１２】
上記の筐体支持構造において、第２支持部材は、底壁に取り付けられる第１部分と、第１部分の支柱側の端から下方に向かって延在する第２部分とを有していてもよい。第２部分は、第２ボルトが挿通される貫通穴が形成されていてもよい。貫通穴は、上下方向に沿って形成されていてもよい。
【００１３】
上記の筐体支持構造において、第１支持部材は、底板と、底板の縁から上方に向かって延在する側板とを有していてもよい。側板には、側板を厚さ方向に貫通する排水口が形成されていてもよい。
【００１４】
上記の筐体支持構造は、第３ボルトと、第７ナットとをさらに備えていてもよい。第７ナットは、上壁の底壁側の面に取り付けられていてもよい。第７ナットは、第３ボルトに螺合されることにより、第３ボルトの頭部との間で上壁及び第１支持部材を締結していてもよい。
【００１５】
上記の筐体支持構造は、第３ボルトと、第７ナットとをさらに備えていてもよい。第７ナットは、第１支持部材の上壁とは反対側の面に取り付けられていてもよい。第７ナットは、第３ボルトに螺合されることにより、第３ボルトの頭部との間で上壁及び第１支持部材を締結していてもよい。
【００１６】
他の実施形態に係る筐体支持構造は、上壁と、底壁と、上壁及び底壁に連なる側壁とを有する筐体と、上壁に取り付けられる第１支持部材と、地面から上方に向かって延在する支柱に取り付けられる第１取り付け部材と、第１支持部材と第１取り付け部材とを接続する第１接続部と、第１取り付け部材の上方において支柱に取り付けられる第２取り付け部材と、第２取り付け部材に取り付けられる第１端と、第１支持部材に取り付けられる第２端とを有する第１部材と、第２取り付け部材に取り付けられる第３端と、第１支持部材に取り付けられる第４端とを有する第２部材とを備える。
【００１７】
側壁には、筐体の内部に連通する開口部が形成されているとともに、開口部を覆う扉が取り付けられている。第１接続部は、第１支持部材と第１取り付け部材との距離を調整可能に構成されている。第４端は、上面視において、第１支持部材の中央と支柱の中央とを結んだ直線に関して第２端とは反対側に位置している。第１端と第２端との間の距離及び第３端と第４端との間の距離の少なくとも一方は、調整可能に構成されている。
【発明の効果】
【００１８】
一実施形態に係る筐体支持構造によると、水平レベルを確保した状態で筐体を支持することが可能となる。
【図面の簡単な説明】
【００１９】
【図１】実施形態に係る筐体支持構造の正面図である。
【図２】実施形態に係る筐体支持構造の側面図である。
【図３】実施形態に係る筐体支持構造での筐体１０の上面図である。
【図４】図３のＩＶ−ＩＶにおける断面図である。
【図５】図３のＶ−Ｖにおける断面図である。
【図６】実施形態に係る筐体支持構造での支持部材２０の斜視図である。
【図７】実施形態に係る筐体支持構造での取り付け部材３０の斜視図である。
【図８】実施形態に係る筐体支持構造での接続部４０の断面図である。
【図９】実施形態に係る筐体支持構造での取り付け部材５０の分解斜視図である。
【図１０】実施形態に係る筐体支持構造での伸縮部材６０の分解平面図である。
【図１１】実施形態に係る筐体支持構造での取り付け部材８０の斜視図である。
【図１２】実施形態に係る筐体支持構造での支持部材９０の分解斜視図である。
【図１３】実施形態に係る筐体支持構造における接続部１００の断面図である。
【図１４】実施形態の第１変形例に係る筐体支持構造での支持部材２０の分解斜視図である。
【図１５】実施形態の第２変形例に係る筐体支持構造での伸縮部材６０の分解正面図である。
【発明を実施するための形態】
【００２０】
実施形態の詳細を、図面を参照しながら説明する。なお、以下の図面においては、同一又は相当する部分に同一の参照符号を付し、重複する説明は繰り返さないものとする。
【００２１】
（実施形態に係る筐体支持構造の構成）
以下に、実施形態に係る筐体支持構造の構成を説明する。
【００２２】
図１は、実施形態に係る筐体支持構造の正面図である。図２は、実施形態に係る筐体支持構造の側面図である。図１及び２に示されるように、実施形態に係る筐体支持構造は、筐体１０と、支持部材２０及び支持部材９０と、取り付け部材３０、取り付け部材５０及び取り付け部材８０と、接続部４０及び接続部１００と、伸縮部材６０及び伸縮部材７０とを有している。
【００２３】
筐体１０は、例えば宅配ボックスである。図３は、実施形態に係る筐体支持構造での筐体１０の上面図である。図４は、図３のＩＶ−ＩＶにおける断面図である。図３及び４に示されるように、筐体１０は、上壁１１と、底壁１２と、側壁１３と、側壁１４と、側壁１５と、側壁１６とを有している。底壁１２は、上壁１１の下方にある。底壁１２は、上壁１１と対向している。なお、筐体１０は、底壁１２が地面から離間するように、支持されている（図１参照）。
【００２４】
側壁１３は、支柱Ｐと対向している。側壁１３は、上壁１１及び底壁１２に連なっている。側壁１４は、側壁１３と間隔を置いて対向している。側壁１４は、上壁１１及び底壁１２に連なっている。以下において、側壁１３から側壁１４に向かう方向を、第１方向ＤＲ１ということがある。
【００２５】
なお、支柱Ｐは、例えば電柱として用いられているコンクリート柱である。支柱Ｐは、地面から上方に向かって延在している。支柱Ｐの断面形状は、例えば円形である。支柱Ｐは、地面から離れるにつれて断面積が小さくなるようなテーパ形状を有していてもよい。支柱Ｐは、地面の法線（鉛直方向）に対して傾斜していてもよい。
【００２６】
側壁１５は、上壁１１及び底壁１２に連なっている。側壁１５は、側壁１３及び側壁１４に連なっている。側壁１６は、上壁１１及び底壁１２に連なっている。側壁１６は、側壁１３及び側壁１４に連なっている。側壁１５及び側壁１６は、互いに対向している。以下において、側壁１５から側壁１６に向かう方向を、第２方向ＤＲ２ということがある。第２方向ＤＲ２は、例えば、第１方向ＤＲ１に直交している。
【００２７】
側壁１４には、開口部１４ａが形成されている。開口部１４ａは、側壁１４を厚さ方向に貫通している。このことを別の観点からいえば、開口部１４ａは、筐体１０の内部と連通している。側壁１４には、扉１４ｂが取り付けられている。扉１４ｂは、開口部１４ａを覆うように、側壁１４に開閉可能に取り付けられている。なお、開口部１４ａの数及び扉１４ｂの数は、複数であってもよい。
【００２８】
なお、開口部１４ａは、側壁１５又は側壁１６に形成されていてもよい。開口部１４ａが側壁１５（側壁１６）に形成されている場合、扉１４ｂも側壁１５（側壁１６）に取り付けられる。
【００２９】
筐体１０が宅配ボックスである場合、扉１４ｂの施錠は、電子的に制御されていてもよい。この場合、扉１４ｂの施錠及び解錠を行う装置には、支柱Ｐに取り付けられた配電設備から給電されてもよい。
【００３０】
図５は、図３のＶ−Ｖにおける断面図である。図３及び５に示されるように、上壁１１には、貫通穴１１ａが形成されていてもよい。貫通穴１１ａは、上壁１１を厚さ方向に貫通している。上壁１１には、ナット１１ｂが固定されている。ナット１１ｂは、上壁１１の底壁１２側の面に固定されている。ナット１１ｂは、ナット１１ｂの穴の位置と貫通穴１１ａの位置とが互いに一致するように配置されている。
【００３１】
底壁１２には、貫通穴１２ａが形成されていてもよい。貫通穴１２ａは、底壁１２を厚さ方向に貫通している。底壁１２の上壁１１側の面にはナット１２ｂが固定されている。ナット１２ｂは、ナット１２ｂの穴の位置と貫通穴１２ａの位置とが互いに一致するように配置されている。
【００３２】
支持部材２０は、上壁１１に取り付けられている（図１参照）。図６は、実施形態に係る筐体支持構造での支持部材２０の斜視図である。図６に示されるように、支持部材２０は、底板２１と、側板２２ａ、側板２２ｂ、側板２２ｃ及び側板２２ｄと、リブ２３ａ及びリブ２３ｂと、スペーサ板２４とを有している。
【００３３】
底板２１は、第１面２１ａと、第２面２１ｂとを有している。第１面２１ａは、上方を向いている面である。第２面２１ｂは、第１面２１ａの反対面である（下方を向いている面である）。
【００３４】
側板２２ａ〜側板２２ｄは、底板２１の第１面２１ａ側に設けられている。側板２２ａ〜側板２２ｄは、底板２１の平面視における縁から上方に向かって（第２面２１ｂから第１面２１ａに向かう方向に沿って）延在している。側板２２ａ及び側板２２ｂは、第１方向ＤＲ１において互いに対向しており、側板２２ｃ及び側板２２ｄは、第２方向ＤＲ２において互いに対向している。
【００３５】
側板２２ａ〜側板２２ｄには、それぞれ、排水口２２ｅが形成されている。排水口２２ｅは、側板２２ａ〜側板２２ｄを厚さ方向に貫通している。排水口２２ｅは、側板２２ａ〜側板２２ｄの底板２１側の端部に形成されている。
【００３６】
側板２２ａには、貫通穴２２ｆが形成されている。貫通穴２２ｆは、側板２２ａを厚さ方向に貫通している。
【００３７】
リブ２３ａ及びリブ２３ｂは、底板２１の第１面２１ａ側に取り付けられている。リブ２３ａは、側板２２ａ及び側板２２ｂを接続する第１部分２３ａａと、第１部分２３ａａと側板２２ｃとを接続する第２部分２３ａｂを有している。リブ２３ｂは、側板２２ａと側板２２ｂとを接続する第１部分２３ｂａと、第１部分２３ｂａと側板２２ｄとを接続する第２部分２３ｂｂとを有している。リブ２３ａ及び２３ｂにより、支持部材２０の強度及び剛性が改善されている。
【００３８】
スペーサ板２４は、底板２１の第２面２１ｂ側に取り付けられている。スペーサ板２４は、平面視において、底板２１の四隅に配置されている。
【００３９】
支持部材２０には、貫通穴２５が形成されている。貫通穴２５は、底板２１を厚さ方向に貫通している。貫通穴２５は、さらに、スペーサ板２４を厚さ方向に貫通している。支持部材２０は、貫通穴２５の位置と貫通穴１１ａの位置とが互いに重なるように配置されている。支持部材２０は、貫通穴２５及び貫通穴１１ａにボルト２６（図５参照）が挿通されるとともに、ナット１１ｂがボルト２６に螺合されることにより、筐体１０（上壁１１）に取り付けられる。この際、ボルト２６の頭部は、第１面２１ａ上に位置している。
【００４０】
支持部材２０には、例えば、Ｌ字アングル２７ａ及びＬ字アングル２７ｂが取り付けられている。Ｌ字アングル２７ａは、第１部分２７ｃと、第２部分２７ｄとを有している。図示されていないが、Ｌ字アングル２７ａ及びＬ字アングル２７ｂは、例えばボルト及びナットを用いて支持部材２０に取り付けられている。Ｌ字アングル２７ａは、第１部分２７ｃにおいて、支持部材２０に取り付けられている。第２部分２７ｄは、第１部分２７ｃから上方に向かって屈曲している。第２部分２７ｄには、貫通穴２７ｄａが形成されている。貫通穴２７ｄａは、第２部分２７ｄを厚さ方向に貫通している。
【００４１】
Ｌ字アングル２７ｂは、Ｌ字アングル２７ａと同様の構成を有している。Ｌ字アングル２７ｂは、平面視における支持部材２０の中央と上面視における支柱Ｐの中央とを結んだ直線Ｌ（図６中において点線で示されている）に関して、Ｌ字アングル２７ａとは反対側に位置している。好ましくは、Ｌ字アングル２７ａ及びＬ字アングル２７ｂは、直線Ｌに関して線対称な位置に配置されている。なお、Ｌ字アングル２７ａは、直線Ｌよりも側板２２ｃ側に位置しており、Ｌ字アングル２７ｂは、直線Ｌよりも側板２２ｄ側に位置している。
【００４２】
図７は、実施形態に係る筐体支持構造での取り付け部材３０の斜視図である。図７に示されるように、取り付け部材３０は、第１部分３１と、第２部分３２と、第３部分３３とを有している。取り付け部材３０は、支柱Ｐに取り付けられる（図１参照）。
【００４３】
第１部分３１は、平板形状を有している。第１部分３１は、第１面３１ａと、第２面３１ｂとを有している。第１面３１ａは、支持部材２０（具体的には、側板２２ａ）に対向する面である。第２面３１ｂは、第１面３１ａの反対面である。第１部分３１には、貫通穴３１ｃが形成されている。貫通穴３１ｃは、第１部分３１を厚さ方向に（第１面３１ａから第２面３１ｂに向かう方向に沿って）貫通している。
【００４４】
第２部分３２は、第１面３２ａと、第２面３２ｂとを有している。第１面３２ａは、第１部分３１に対向する面である。第２面３２ｂは、第１面３２ａの反対面である。すなわち、第２面３２ｂは、支柱Ｐと対向する面である。第２部分３２は、第２面３２ｂが支柱Ｐの外周面の形状に沿うように湾曲した板状の形状を有している。
【００４５】
第３部分３３は、第１部分３１と第２部分３２とを接続している部分である。第３部分３３には、貫通穴３３ａが形成されている。貫通穴３３ａは、第３部分３３を厚さ方向に貫通している。貫通穴３３ａは、第３部分３３の第２部分３２側の端に形成されている。貫通穴３３ａにケーブルバンド３４（図１参照）が挿通されるとともに、ケーブルバンド３４が支柱Ｐに巻き付けられることにより、取り付け部材３０が支柱Ｐに取り付けられている。
【００４６】
接続部４０は、支持部材２０と取り付け部材３０とを接続している。接続部４０は、支持部材２０と取り付け部材３０との間の距離を調整可能に構成されている。図８は、実施形態に係る筐体支持構造での接続部４０の断面図である。図８に示されるように、接続部４０は、ボルト４１と、ナット４２と、ナット４３と、ナット４４とにより構成されている。
【００４７】
ボルト４１は、頭部４１ａと、軸部４１ｂとを有している。頭部４１ａは、軸部４１ｂの一方端に設けられている。図示されていないが、軸部４１ｂには、ネジ山が形成されている。軸部４１ｂは、貫通穴２２ｆ及び貫通穴３１ｃに挿通されている。
【００４８】
ナット４２〜ナット４４は、ボルト４１（軸部４１ｂ）に螺合されている。頭部４１ａ及びナット４２は、取り付け部材３０（第１部分３１）を挟み込んでいる。すなわち、取り付け部材３０は、頭部４１ａ及びナット４２で締結されている。ナット４３及びナット４４は、支持部材２０（側板２２ａ）を挟み込んでいる。すなわち、支持部材２０は、ナット４３及びナット４４で締結されている。
【００４９】
ナット４２及びナット４３は、取り付け部材３０（第１部分３１）と支持部材２０（側板２２ａ）との間に位置している。ナット４３及びナット４４を軸部４１ｂの中心軸周りに回転させることにより、ナット４３及びナット４４の位置が変更される。ナット４３及びナット４４が移動することにより、支持部材２０と取り付け部材３０との間の距離が調整される。より具体的には、図８中において、ナット４３及びナット４４を右側に移動させることにより、支持部材２０と取り付け部材３０との間の距離が大きくなり、ナット４３及びナット４４を左側に移動させることにより、支持部材２０と取り付け部材３０との間の距離が小さくなる。
【００５０】
なお、図示されていないが、接続部４０は、ナット４２及びナット４３に代えてスペーサ４５を用いることにより構成されていてもよい。なお、スペーサ４５は、取り付け部材３０（第１部分３１）と支持部材２０（側板２２ａ）とにより挟み込まれる。
【００５１】
取り付け部材５０は、取り付け部材３０よりも上方において、支柱Ｐに取り付けられている（図１参照）。図９は、実施形態に係る筐体支持構造での取り付け部材５０の分解斜視図である。図９に示されるように、取り付け部材５０は、第１部材５１と、第２部材５２とにより構成されている。
【００５２】
第１部材５１は、第１部分５１ａと、第２部分５１ｂと、第３部分５１ｃとを有している。第１部分５１ａ、第２部分５１ｂ及び第３部分５１ｃは、取り付け部材３０の第１部分３１、第２部分３２及び第３部分３３にそれぞれ対応した構造を有している。
【００５３】
より具体的には、第１部分５１ａは、平板形状を有している。第１部分５１ａは、第１面５１ａａと、第２面５１ａｂとを有している。第２面５１ａｂは第１面５１ａａの反対面である。第１部分５１ａには、貫通穴５１ａｃが形成されている。貫通穴５１ａｃは、第１部分５１ａを厚さ方向に貫通している。
【００５４】
第２部分５１ｂは、第１面５１ｂａと、第２面５１ｂｂとを有している。第１面５１ｂａは、第１部分５１ａに対向する面である。第２面５１ｂｂは、第１面５１ｂａの反対面である。すなわち、第２面５１ｂｂは、支柱Ｐと対向する面である。第２部分５１ｂは、第２面５１ｂｂが支柱Ｐの外周面の形状に沿うように湾曲した板状の形状を有している。
【００５５】
第３部分５１ｃは、第１部分５１ａと第２部分５１ｂとを接続している部分である。第３部分５１ｃには、貫通穴５１ｃａが形成されている。貫通穴５１ｃａは、第３部分５１ｃを厚さ方向に貫通している。貫通穴５１ｃａは、第３部分５１ｃの第２部分５１ｂ側の端に形成されている。貫通穴５１ｃａにケーブルバンド５４が挿通されるとともに、ケーブルバンド５４（図１参照）が支柱Ｐに巻き付けられることにより、取り付け部材５０が支柱Ｐに取り付けられている。
【００５６】
第２部材５２は、第２方向ＤＲ２に沿って延在する柱状の形状を有している。第２部材５２は、長手方向（第２方向ＤＲ２）に垂直な断面視において、Ｌ字形状を有している。第２部材５２は、第１部分５２ａと第２部分５２ｂとを有している。第１部分５２ａ及び第２部分５２ｂは、平板形状を有している。第１部分５２ａは、第１部分５１ａに当接している。第２部分５２ｂは、第１部分５１ａの上端から第１方向ＤＲ１に沿って延在している。
【００５７】
第１部分５２ａには、貫通穴５２ａａが形成されている。貫通穴５２ａａは、第１部分５２ａを厚さ方向に貫通している。貫通穴５１ａｃ及び貫通穴５２ａａにボルトを挿通するとともに、当該ボルトに螺合するナット及び当該ボルトの頭部で第１部分５１ａ及び第１部分５２ａを締結することにより、第２部材５２が第１部材５１に取り付けられる。
【００５８】
第２部材５２は、補強のために、リブ５２ｃと、リブ５２ｄとをさらに有している。リブ５２ｃは、第１部分５２ａ及び第２部分５２ｂに接続されている。リブ５２ｃには、貫通穴５２ｃａが形成されている。貫通穴５２ｃａは、リブ５２ｃを厚さ方向に貫通している。リブ５２ｄは、リブ５２ｃと同様の構成を有している。
【００５９】
図１０は、実施形態に係る筐体支持構造での伸縮部材６０の分解平面図である。図１０に示されるように、伸縮部材６０は、例えば、ターンバックルである。伸縮部材６０は、第１軸部６１と、第２軸部６２と、バックル部６３とを有している。
【００６０】
第１軸部６１の一方端側にはネジ山が形成されている。第１軸部６１の他方端側には、貫通穴６１ａが形成されている。貫通穴５２ｃａ及び貫通穴６１ａにボルトを挿通するとともに、当該ボルトに螺合されるナット及び当該ボルトの頭部で第１軸部６１の他方端側及びリブ５２ｃを締結することにより、伸縮部材６０の一方端が、取り付け部材５０（より具体的には、リブ５２ｃ）に取り付けられている。
【００６１】
第２軸部６２の一方端側にはネジ山が形成されている。第２軸部６２の他方端側には貫通穴６２ａが形成されている。貫通穴６２ａ及び貫通穴２７ｄａにボルトを挿通するとともに、当該ボルトに螺合されるナット及び当該ボルトの頭部で第２軸部６２の他方端側及び第２部分２７ｄを締結することにより、伸縮部材６０の他方端が、支持部材２０（より具体的には、Ｌ字アングル２７ａ）に取り付けられている。
【００６２】
バックル部６３の第１軸部６１側には貫通穴６３ａが形成されており、バックル部６３の第２軸部６２側には貫通穴６３ｂが形成されている。貫通穴６３ａ及び貫通穴６３ｂの内壁面には、ネジ溝が形成されているが、貫通穴６３ａの内壁面に形成されたネジ溝と貫通穴６３ｂの内壁面に形成されたネジ溝とは、逆ネジになっている。
【００６３】
貫通穴６３ａ及び第１軸部６１は互いに螺合しており、貫通穴６３ｂ及び第２軸部６２は互いに螺合している。そのため、バックル部６３を回転させることにより、第１軸部６１の一方端と第２軸部６２の一方端との間の距離が近づく（又は遠くなる）。そのため、伸縮部材６０は、一方端と他方端との間の距離を調整することができる。
【００６４】
伸縮部材７０は、伸縮部材６０と同様の構成を有している。伸縮部材７０は、一方端において取り付け部材５０（より具体的には、リブ５２ｄ）に取り付けられており、他方端において支持部材２０（より具体的には、Ｌ字アングル２７ｂ）に取り付けられている。伸縮部材７０は、一方端と他方端との間の距離を調整可能に構成されている。伸縮部材７０は、例えばターンバックルである。
【００６５】
上記のとおり、伸縮部材６０の他方端はＬ字アングル２７ａに取り付けられており、伸縮部材７０の他方端はＬ字アングル２７ｂに取り付けられている。このことを別の観点からいえば、伸縮部材７０の他方端は、上面視において、支持部材２０の中央と支柱Ｐの中央とを結んだ直線Ｌに関して伸縮部材６０の他方端と反対側に位置している。
【００６６】
取り付け部材８０は、取り付け部材３０の下方において、支柱Ｐに取り付けられる。図１１は、実施形態に係る筐体支持構造での取り付け部材８０の斜視図である。図１１に示されるように、取り付け部材８０は、第１部分８１と、第２部分８２と、第３部分８３とを有している。第１部分８１、第２部分８２及び第３部分８３は、取り付け部材３０の第１部分３１、第２部分３２及び第３部分３３にそれぞれ対応した構造を有している。
【００６７】
第１部分８１は、平板形状を有している。第１部分８１は、第１面８１ａと、第２面８１ｂとを有している。第１面８１ａは、支持部材９０（具体的には、第２部分９２）に対向する面である。第２面８１ｂは、第１面８１ａの反対面である。第１部分８１には、貫通穴８１ｃが形成されている。貫通穴８１ｃは、第１部分８１を厚さ方向に（第１面８１ａから第２面８１ｂに向かう方向に沿って）貫通している。
【００６８】
第２部分８２は、第１面８２ａと、第２面８２ｂとを有している。第１面８２ａは、第１部分８１に対向する面である。第２面８２ｂは、第１面８２ａの反対面である。すなわち、第２面８２ｂは、支柱Ｐと対向する面である。第２部分８２は、第２面８２ｂが支柱Ｐの外周面の形状に沿うように湾曲した板状の形状を有している。
【００６９】
第３部分８３は、第１部分８１と第２部分８２とを接続している部分である。第３部分８３には、貫通穴８３ａが形成されている。貫通穴８３ａは、第３部分８３を厚さ方向に貫通している。貫通穴８３ａは、第３部分８３の第２部分８２側の端に形成されている。貫通穴８３ａにケーブルバンド８４（図１参照）が挿通されるとともに、ケーブルバンド８４が支柱Ｐに巻き付けられることにより、取り付け部材８０が支柱Ｐに取り付けられている。
【００７０】
図１２は、実施形態に係る筐体支持構造での支持部材９０の分解斜視図である。図１２に示されるように、支持部材９０は、第１部分９１と、第２部分９２とにより構成されている。支持部材９０は、底壁１２に取り付けられている。
【００７１】
第１部分９１は、底板９１ａと、側板９１ｂａ、側板９１ｂｂ、側板９１ｂｃ及び側板９１ｂｄと、リブ９１ｃａ及びリブ９１ｃｂとを有している。
【００７２】
底板９１ａは、第１面９１ａａと第２面９１ａｂとを有している。第１面９１ａａは、下方に向いている面である。第２面９１ａｂは、第１面９１ａａの反対面である（上方を向いている面である）。なお、図１２においては、紙面上における上方向が下方に対応している。
【００７３】
側板９１ｂａ〜側板９１ｂｄは、底板９１ａの第１面９１ａａ側に設けられている。側板９１ｂａ〜側板９１ｂｄは、底板９１ａの平面視における縁から下方に向かって（第２面９１ａｂから第１面９１ａａに向かう方向に沿って）延在している。側板９１ｂａ及び側板９１ｂｂは、第１方向ＤＲ１において互いに対向しており、側板９１ｂｃ及び側板９１ｂｄは、第２方向ＤＲ２において互いに対向している。側板９１ｂａは、支柱Ｐに対向している。
【００７４】
側板９１ｂａには、貫通穴９１ｂｅが形成されている。貫通穴９１ｂｅは、側板９１ｂａを厚さ方向に貫通している。
【００７５】
リブ９１ｃａ及びリブ９１ｃｂは、底板９１ａの第１面９１ａａ側に取り付けられている。リブ９１ｃａは、側板９１ｂａ及び側板９１ｂｂを接続する第１部分９１ｃａａと、第１部分９１ｃａａと側板９１ｂｃを接続する第２部分９１ｃａｂとを有している。リブ９１ｃｂは、側板９１ｂａと側板９１ｂｂとを接続する第１部分９１ｃｂａと、第１部分９１ｃｂａと側板９１ｂｄとを接続する第２部分９１ｃｂｂとを有している。リブ９１ｃａ及び９１ｃｂにより、支持部材９０の強度及び剛性が改善されている。
【００７６】
底板９１ａには、貫通穴９１ｄが形成されている。貫通穴９１ｄは、底板９１ａを厚さ方向に貫通している。支持部材９０は、貫通穴９１ｄの位置と貫通穴１２ａの位置とが互いに重なるように配置されている。支持部材９０は、貫通穴９１ｄ及び貫通穴１２ａにボルト２８（図５参照）が挿通されるとともに、ナット１２ｂがボルト２８に螺合されることにより、筐体１０（底壁１２）に取り付けられる。この際、ボルト２８の頭部は、第１面９１ａａ上に位置している。
【００７７】
第２部分９２は、平板形状を有している。第２部分９２の両側縁は、強度及び剛性を高めるため、第１部分９１とは反対側に向かって屈曲していてもよい。第２部分９２には、貫通穴９２ａと、貫通穴９２ｂとが形成されている。貫通穴９２ａは、第２部分９２を厚さ方向に貫通している。貫通穴９２ａ及び側板９１ｂａに形成されている貫通穴９１ｂｅにボルトを挿通するとともに、当該ボルトに螺合されるナット及び当該ボルトの頭部とで第２部分９２及び側板９１ｂａを締結することにより、第１部分９１に第２部分９２が取り付けられている。これにより、第２部分９２は、第１部分９１の支柱Ｐ側の端から下方に向かって延在する。
【００７８】
貫通穴９２ｂは、第２部分９２を厚さ方向に貫通している。貫通穴９２ｂは、上下方向に沿って形成されている。例えば、図１２に示されるように、貫通穴９２ｂが円弧形状を有していても、「貫通穴９２ｂが上下方向に沿って形成」に含まれる。
【００７９】
接続部１００は、取り付け部材８０と支持部材９０とを接続しており、取り付け部材８０と支持部材９０との間の距離を調整可能に構成されている。図１３は、実施形態に係る筐体支持構造における接続部１００の断面図である。図１３に示されるように、接続部１００は、ボルト１０１と、ナット１０２と、ナット１０３と、ナット１０４とにより構成されている。
【００８０】
ボルト１０１は、頭部１０１ａと、軸部１０１ｂとを有している。頭部１０１ａは、軸部１０１ｂの一方端に設けられている。軸部１０１ｂには、ネジ山が形成されている。軸部１０１ｂは、貫通穴９２ｂ及び貫通穴８１ｃに挿通されている。
【００８１】
ナット１０２〜ナット１０４は、ボルト１０１（軸部１０１ｂ）に螺合されている。頭部１０１ａ及びナット１０２は、取り付け部材８０（第１部分８１）を挟み込んでいる。すなわち、取り付け部材８０は、頭部１０１ａ及びナット１０２で締結されている。ナット１０３及びナット１０４は、支持部材９０（第２部分９２）を挟み込んでいる。すなわち、支持部材９０は、ナット１０３及びナット１０４で締結されている。
【００８２】
ナット１０２及びナット１０３は、取り付け部材８０（第１部分８１）と支持部材９０（第２部分９２）との間に位置している。ナット１０３及びナット１０４を軸部１０１ｂの中心軸周りに回転させることにより、ナット１０３及びナット１０４の位置が変更される。ナット１０３及びナット１０４が移動することにより、支持部材９０と取り付け部材８０との間の距離が調整される。より具体的には、図１３中において、ナット１０３及びナット１０４を右側に移動させることにより、支持部材９０と取り付け部材８０との間の距離が大きくなり、ナット１０３及びナット１０４を左側に移動させることにより、支持部材９０と取り付け部材８０との間の距離が小さくなる。
【００８３】
なお、図示されていないが、接続部１００は、ナット１０２及びナット１０３に代えてスペーサ１０５を用いることにより構成されていてもよい。スペーサ１０５は、取り付け部材８０（第１部分８１）と支持部材９０（第２部分９２）とにより挟み込まれる。
【００８４】
＜実施形態の変形例に係る筐体支持構造の構成＞
以下に、実施形態の第１変形例に係る筐体支持構造の構成を説明する。図１４は、実施形態の第１変形例に係る筐体支持構造での支持部材２０の分解斜視図である。図１４に示されるように、ナット１１ｂは、第１面２１ａに固定されている。ナット１１ｂは、ナット１１ｂの穴の位置と貫通穴２５の位置とが互いに一致するように配置されている。支持部材２０は、貫通穴２５及び貫通穴１１ａにボルト２６が挿通されるとともに、ナット１１ｂがボルト２６に螺合されることにより、上壁１１に取り付けられる。この際、ボルト２６の頭部は、筐体１０の内部に位置している。
【００８５】
図１５は、実施形態の第２変形例に係る筐体支持構造での伸縮部材６０の分解正面図である。図１５に示されるように、伸縮部材６０は、長ねじボルト６４と、第１部材６５ａ及び第２部材６５ｂと、ナット６６ａ、ナット６６ｂ、ナット６６ｃ及びナット６６ｄとを有していてもよい。伸縮部材６０は、さらに、第３部材６７ａ及び第４部材６７ｂを有していてもよい。
【００８６】
第１部材６５ａは、第１部分６５ａａと、第２部分６５ａｂとを有している。第１部分６５ａａは、長ねじボルト６４に螺合されたナット６６ａ及びナット６６ｂにより締結されている。第２部分６５ａｂは、第１部分６５ａａから第２部材６５ｂ側に向かって屈曲している。第２部分６５ａｂには、貫通穴６５ａｂａが形成されている。
【００８７】
第２部材６５ｂは、第１部分６５ｂａと、第２部分６５ｂｂとを有している。第１部分６５ｂａは、長ねじボルト６４に螺合されたナット６６ｃ及びナット６６ｄにより締結されている。第２部分６５ｂｂは、第１部分６５ｂａから第１部材６５ａ側に向かって屈曲している。第２部分６５ｂｂには、貫通穴６５ｂｂａが形成されている。
【００８８】
第３部材６７ａの一方端には、貫通穴６７ａａが形成されている。貫通穴６５ａｂａ及び貫通穴６７ａａにボルトを挿通するとともに、当該ボルトの頭部と当該ボルトに螺合されたナットとで第２部分６５ａｂ及び第３部材６７ａを締結することにより、第１部材６５ａに取り付けられている。第３部材６７ａの他方端は、取り付け部材５０に取り付けられている。第３部材６７ａの他方端は、伸縮部材６０の一方端を構成している。
【００８９】
第４部材６７ｂの一方端には、貫通穴６７ｂａが形成されている。貫通穴６５ｂｂａ及び貫通穴６７ｂａにボルトを挿通するとともに、当該ボルトの頭部と当該ボルトに螺合されたナットとで第２部分６５ｂｂ及び第４部材６７ｂを締結することにより、第２部材６５ｂに取り付けられている。第４部材６７ｂの他方端は、支持部材２０に取り付けられている。第４部材６７ｂの他方端は、伸縮部材６０の他方端を構成している。
【００９０】
ナット６６ｂとナット６６ｃとの間隔を狭めることにより（広げることにより）、第１部材６５ａと第２部材６５ｂとの間隔が狭まる（広がる）。その結果、伸縮部材６０の一方端と他方端との間の距離を調整することが可能となる。
【００９１】
上記の例においては、支持部材２０と取り付け部材５０とを接続する部材として、伸縮部材６０及び伸縮部材７０を用いたが、伸縮部材６０及び伸縮部材７０のいずれか一方を一方端と他方端との間の距離が調整可能に構成されていない部材に置換してもよい。
【００９２】
（実施形態に係る筐体支持構造の施工方法）
以下に、実施形態に係る筐体支持構造の施工方法を説明する。
【００９３】
実施形態に係る筐体支持構造の施工においては、第１に、取り付け部材３０、取り付け部材５０及び取り付け部材８０が、支柱Ｐに取り付けられる。実施形態に係る筐体支持構造の施工においては、第２に、筐体１０に支持部材２０及び支持部材９０が取り付けられる。
【００９４】
実施形態に係る筐体支持構造の施工においては、第３に、支持部材２０と取り付け部材３０との接続が、接続部４０を用いて行われる。実施形態に係る筐体支持構造の施工においては、第４に、支持部材２０と取り付け部材５０との接続が、伸縮部材６０及び伸縮部材７０を用いて行われる。実施形態に係る筐体支持構造の施工においては、第５に、支持部材９０と取り付け部材８０との接続が、接続部１００を用いて行われる。なお、この際には、ボルト１０１とナット１０２とによる取り付け部材８０の締結及びナット１０３及びナット１０４による支持部材９０の締結は、完全には行われていない。
【００９５】
実施形態に係る筐体支持構造の施工においては、第６に、第２方向ＤＲ２における傾き調整が行われる。第２方向ＤＲ２における傾き調整は、伸縮部材６０の一方端と他方端との間の距離及び伸縮部材７０の一方端と他方端との間の距離をそれぞれ調整することにより行われる。
【００９６】
実施形態に係る筐体支持構造の施工においては、第７に、第１方向ＤＲ１における傾き調整が行われる。第１方向ＤＲ１における傾き調整は、接続部４０で支持部材２０と取り付け部材３０との間の距離を調整することにより行われる。第１方向ＤＲ１における傾き調整は、さらに、接続部１００で支持部材９０と取り付け部材８０との間の距離を調整することにより行われてもよい。
【００９７】
なお、実施形態の筐体支持構造の施工方法は、上記の例に限られない。例えば、取り付け部材３０及び取り付け部材８０は、支柱Ｐに取り付けられる前に、接続部４０及び接続部１００を用いて、筐体１０に取り付けられた支持部材２０及び支持部材９０にそれぞれ接続されてもよい。
【００９８】
（実施形態に係る筐体支持構造の効果）
以下に、実施形態に係る筐体支持構造の効果を説明する。
【００９９】
上記のとおり、支柱Ｐは、地面から離れるにつれて断面積が小さくなるようなテーパ形状を有している場合がある。また、支柱Ｐは、地面の法線に対して傾斜している場合がある。そのため、水平レベルが確保されていない状態で、筐体１０が支柱Ｐに支持されてしまうことがある。その結果、筐体１０に設けられた扉１４ｂの開閉が困難となるおそれがある。
【０１００】
しかしながら、実施形態に係る筐体支持構造においては、伸縮部材６０及び伸縮部材７０により、第２方向ＤＲ２における筐体１０の傾斜が調整可能になっているとともに、接続部４０により、第１方向ＤＲ１における筐体１０の傾斜が調整可能になっている。そのため、実施形態に係る筐体支持構造によると、水平レベルを確保した状態で筐体１０を支柱Ｐに支持させることが可能となる。
【０１０１】
実施形態に係る筐体支持構造において、伸縮部材６０及び伸縮部材７０がターンバックルである場合、伸縮部材６０及び伸縮部材７０の一方端と他方端との間の距離の調整を容易に実施することが可能となる。
【０１０２】
実施形態に係る筐体支持構造が接続部１００をさらに有している場合、第１方向ＤＲ１における筐体１０の傾斜をより正確に調整することが可能となる。
【０１０３】
実施形態に係る筐体支持構造において、側板２２ａ〜側板２２ｄに排水口２２ｅが形成されている場合、支持部材２０に雨水等がたまることを抑制することが可能となる。
【０１０４】
実施形態に係る筐体支持構造において、ナット１１ｂが上壁１１の底壁１２側の面に固定されている場合、筐体１０の外部からナット１１ｂ及びボルト２６による支持部材２０と上壁１１との締結を行うことができる。そのため、この場合には、支持部材２０の筐体１０への取り付けが容易となる。
【０１０５】
実施形態に係る筐体支持構造において、ナット１１ｂが底板２１の第１面２１ａに固定されている場合、ナット１１ｂ及びボルト２６による支持部材２０と上壁１１との締結が筐体１０の内部から行われる。そのため、この場合には、一旦筐体支持構造の施工が行われた後には支持部材２０を筐体１０から取り外すことは困難になり、盗難対策となる。
【０１０６】
以上のように本発明の実施形態について説明を行ったが、上述の実施形態を様々に変形することも可能である。また、本発明の範囲は、上述の実施形態に限定されるものではない。本発明の範囲は、特許請求の範囲によって示され、特許請求の範囲と均等の意味及び範囲内での全ての変更を含むことが意図される。
【産業上の利用可能性】
【０１０７】
上記の実施形態は、例えば、宅配ボックスの支持構造に特に有利に適用される。
【符号の説明】
【０１０８】
１０  筐体、１１  上壁、１１ａ  貫通穴、１１ｂ  ナット、１２  底壁、１２ａ  貫通穴、１２ｂ  ナット、１３  側壁、１４  側壁、１４ａ  開口部、１４ｂ  扉、１５，１６  側壁、２０  支持部材、２１  底板、２１ａ  第１面、２１ｂ  第２面、２２ａ，２２ｂ，２２ｃ，２２ｄ  側壁、２２ｅ  排水口、２２ｆ  貫通穴、２３ａ  リブ、２３ａａ  第１部分、２３ａｂ  第２部分、２３ｂ  リブ、２３ｂａ  第１部分、２３ｂｂ  第２部分、２４  スペーサ板、２５  貫通穴、２６  ボルト、２７ａ  Ｌ字アングル、２７ｂ  Ｌ字アングル、２７ｃ  第１部分、２７ｄ  第２部分、２７ｄａ  貫通穴、２８  ボルト、３０  取り付け部材、３１  第１部分、３１ａ  第１面、３１ｂ  第２面、３１ｃ  貫通穴、３２  第２部分、３２ａ  第１面、３２ｂ  第２面、３３  第３部分、３３ａ  貫通穴、３４  ケーブルバンド、４０  接続部、４１  ボルト、４１ａ  頭部、４１ｂ  軸部、４２  ナット、４３  ナット、４４  ナット、４５  スペーサ、５０  取り付け部材、５１  第１部材、５１ａ  第１部分、５１ａａ  第１面、５１ａｂ  第２面、５１ａｃ  貫通穴、５１ｂ  第２部分、５１ｂａ  第１面、５１ｂｂ  第２面、５１ｃ  第３部分、５１ｃａ  貫通穴、５２  第２部材、５２ａ  第１部分、５２ａａ  貫通穴、５２ｂ  第２部分、５２ｃ，５２ｄ  リブ、５２ｃａ  貫通穴、５３  第３部材、５３ａ  第１部分、５３ａａ  貫通穴、５３ｂ  第２部分、５３ｂａ  貫通穴、５４  ケーブルバンド、６０  伸縮部材、６１  第１軸部、６１ａ  貫通穴、６２  第２軸部、６２ａ  貫通穴、６３  バックル部、６３ａ，６３ｂ  貫通穴、６４  長ねじボルト、６５ａ  第１部材、６５ａａ  第１部分、６５ａｂ  第２部分、６５ａｂａ  貫通穴、６５ｂ  第２部材、６５ｂａ  第１部分、６５ｂｂ  第２部分、６５ｂｂａ  貫通穴、６６ａ，６６ｂ，６６ｃ，６６ｄ  ナット、６７ａ  第３部材、６７ｂ  第４部材、７０  伸縮部材、８０  取り付け部材、８１  第１部分、８１ａ  第１面、８１ｂ  第２面、８１ｃ  貫通穴、８２  第２部分、８２ａ  第１面、８２ｂ  第２面、８３  第３部分、８３ａ  貫通穴、９０  支持部材、９１  第１部分、９１ａ  底板、９１ａａ  第１面、９１ａｂ  第２面、９１ｂａ，９１ｂｂ，９１ｂｃ，９１ｂｄ  側壁、９１ｂｅ  貫通穴、９１ｃａ，９１ｃｂ  リブ、９１ｃａａ，９１ｃｂａ  第１部分、９１ｃａｂ，９１ｃｂｂ  第２部分、９１ｄ  貫通穴、９２  第２部分、９２ａ  貫通穴、９２ｂ  貫通穴、１００  接続部、１０１  ボルト、１０１ａ  頭部、１０１ｂ  軸部、１０２，１０３，１０４  ナット、１０５  スペーサ、ＤＲ１  第１方向、ＤＲ２  第２方向、Ｌ  直線、Ｐ  支柱。
【図１】
2020072108.tif 000003
【図２】
2020072108.tif 000004
【図３】
2020072108.tif 000005
【図４】
2020072108.tif 000006
【図５】
2020072108.tif 000007
【図６】
2020072108.tif 000008
【図７】
2020072108.tif 000009
【図８】
2020072108.tif 000010
【図９】
2020072108.tif 000011
【図１０】
2020072108.tif 000012
【図１１】
2020072108.tif 000013
【図１２】
2020072108.tif 000014
【図１３】
2020072108.tif 000015
【図１４】
2020072108.tif 000016
【図１５】
2020072108.tif 000017